(57)【要約】【課題】複数の送信アンテナを有する移動局装置の送信電力を適切に制御できる送信電力制御方法および移動局装置を提供することを目的とする。【解決手段】複数の送信アンテナを有する移動局装置の上りリンクの送信電力制御において、複数の送信アンテナのうち少なくとも一つの送信アンテナのパスロス（PL）を測定するステップと、測定したパスロス値に基づいて代表値パスロス（PL’）を設定するステップと、代表値パスロス（PL’）に基づいて移動局装置の総送信電力（PTX）を決定するステップと、総送信電力（PTX）を複数の送信アンテナに分配することにより各送信アンテナの送信電力（PTXn）を決定するステップとを設ける。【選択図】図１
2011234334.tif 000002
【特許請求の範囲】
【請求項１】
複数の送信アンテナを有する移動局装置の上りリンクの送信電力を制御する送信電力制御方法であって、
前記複数の送信アンテナのうち少なくとも一つの送信アンテナのパスロス（PL）を測定するステップと、
測定したパスロス（PL）測定値に基づいて代表値パスロス（PL’）を設定するステップと、
前記代表値パスロス（PL’）に基づいて前記移動局装置の総送信電力（PTX）を決定するステップと、
前記総送信電力（PTX）を前記複数の送信アンテナに分配することにより各送信アンテナの送信電力（PTXn）を決定するステップと、を有することを特徴とする送信電力制御方法。
【請求項２】
前記代表値パスロス（PL’）を、前記複数の送信アンテナのパスロス（PL）測定値を平均化した値とすることを特徴とする請求項１に記載の送信電力制御方法。
【請求項３】
前記代表値パスロス（PL’）を、前記複数の送信アンテナのパスロス（PL）測定値のうち最も小さいパスロス（PL）測定値とすることを特徴とする請求項１に記載の送信電力制御方法。
【請求項４】
前記代表値パスロスを、前記複数の送信アンテナのうち予め定められた一つの送信アンテナのパスロス（PL）測定値とすることを特徴とする請求項１に記載の送信電力制御方法。
【請求項５】
前記総送信電力（PTX）が以下の式（１）で求められることを特徴とする請求項１から請求項４のいずれかに記載の送信電力制御方法。
PTX=min{Pmax,10log10(MPUSCH(i))+P0_PUSCH(j)+α(j)・PL’+ΔTF(i)+f(i)}(dBm)
（１）
ここで、Pmaxは最大送信電力であり、MPUSCHは送信帯域幅であり、P0_PUSCHは目標受信電力であり、αはフラクショナルTPCの重み係数であり、PL’は測定したパスロス（PL）測定値に基づいて設定された代表値パスロス（PL’）であり、ΔTFはMCSに依存するオフセットであり、f(i)はTPCコマンドによる補正値である。
【請求項６】
前記総送信電力（PTX）を前記複数の送信アンテナにそれぞれ均等に分配することを特徴とする請求項５に記載の送信電力制御方法。
【請求項７】
前記総送信電力（PTX）を前記複数の送信アンテナの各々の利得差に応じて分配することを特徴とする請求項５に記載の送信電力制御方法。
【請求項８】
前記各送信アンテナの送信電力（PTXn）の送信電力の合計がPmaxを超えた場合に、前記総送信電力（PTX）をPmaxとし、各送信アンテナの送信電力（PTXn’）を以下の式（４）を用いて決定することを特徴とする請求項７に記載の送信電力制御方法。
PTXn’=Pmax−10log10N(dBm)      （４）
ここで、Nは送信アンテナ数である。
【請求項９】
前記各送信アンテナの送信電力（PTXn）の送信電力の合計が所定値（Pmax）を超えた場合に、前記総送信電力（PTX）をPmaxとし、前記Pmaxを前記複数の送信アンテナの中でパスロス（PL）が小さいアンテナに対して優先的に分配することを特徴とする請求項７に記載の送信電力制御方法。
【請求項１０】
前記各送信アンテナの送信電力（PTXn）の送信電力の合計が所定値（Pmax）を超えた場合に、前記総送信電力（PTX）をPmaxとし、前記複数の送信アンテナの中でパスロス（PL）が最も小さいアンテナに対してのみ電力を設定することを特徴とする請求項７に記載の送信電力制御方法。
【請求項１１】
複数の送信アンテナを有する移動局装置の上りリンクの送信電力を制御する送信電力制御方法であって、
前記複数の送信アンテナのパスロス（PL）をそれぞれ測定するステップと、
各送信アンテナで測定したパスロス（PL）測定値に基づいて、前記各送信アンテナの送信電力（PTXn）をそれぞれ決定するステップと、を有することを特徴とする送信電力制御方法。
【請求項１２】
前記各送信アンテナの送信電力（PTXn）が以下の式（６）で求められることを特徴とする請求項１１に記載の送信電力制御方法。
PTXn=min{Pmax_n,10log10(MPUSCH(i))+P0_PUSCH(j)+α(j)・PLn+ΔTF(i)+f(i)−10log10N}(dBm)      （６）
ここで、Pmax_nは送信アンテナ毎の最大送信電力である。
【請求項１３】
前記複数の送信アンテナの送信電力の合計が所定値（Pmax）を超えた場合に、前記移動局装置の総送信電力（PTX）をPmaxとし、各送信アンテナの送信電力（PTXn’）を以下の式（７）を用いて決定することを特徴とする請求項１２に記載の送信電力制御方法。
PTXn’=Pmax−10log10N(dBm)      （７）
ここで、Nは送信アンテナ数である。
【請求項１４】
前記各送信アンテナの送信電力（PTXn）の送信電力の合計が所定値（Pmax）を超えた場合に、前記総送信電力（PTX）をPmaxとし、前記Pmaxを前記複数の送信アンテナの中でパスロス（PL）が小さいアンテナに対して優先的に分配することを特徴とする請求項１２に記載の送信電力制御方法。
【請求項１５】
前記各送信アンテナの送信電力（PTXn）の送信電力の合計が所定値（Pmax）を超えた場合に、前記総送信電力（PTX）をPmaxとし、前記複数の送信アンテナの中でパスロス（PL）が最も小さいアンテナに対してのみ電力を設定することを特徴とする請求項１２に記載の送信電力制御方法。
【請求項１６】
複数の送信アンテナを有する移動局装置の上りリンクの送信電力を制御する送信電力制御方法であって、
前記複数の送信アンテナのパスロス（PL）をそれぞれ測定するステップと、
測定したパスロス（PL）測定値に基づいて代表値パスロス（PL’）を設定するステップと、
各送信アンテナで測定したパスロス（PL）測定値と前記代表値パスロス（PL’）とを用いて、前記各送信アンテナの送信電力（PTXn）を以下の式（９）及び式（１０）を用いてそれぞれ決定するステップと、を有することを特徴とする送信電力制御方法。
PTXb=min{Pmax_n,10log10(MPUSCH(i))+P0_PUSCH(j)+α(j)・PLb+ΔTF(i)+f(i)−10log10N}(dBm)      （９）
PTXn=PTXb+β(PLn−PL’)      （１０）
ここで、βは重み係数である。
【請求項１７】
前記代表値パスロス（PL’）を、前記複数の送信アンテナのパスロス値を平均化した値とすることを特徴とする請求項１６に記載の送信電力制御方法。
【請求項１８】
前記代表値パスロス（PL’）を、前記複数の送信アンテナのパスロス値のうち最も小さいパスロス値とすることを特徴とする請求項１６に記載の送信電力制御方法。
【請求項１９】
前記代表値パスロスを、前記複数の送信アンテナのうち予め定められた一つの送信アンテナの測定パスロス値とすることを特徴とする請求項１６に記載の送信電力制御方法。
【請求項２０】
複数の送信アンテナと、前記複数の送信アンテナのパスロス（PL）を測定するパスロス測定部と、測定したパスロス（PL）測定値に基づいて各送信アンテナの送信電力（PTXn）を決定する送信電力設定部とを具備する移動局装置であって、
前記送信電力設定部は、前記パスロス測定部で測定されたパスロス（PL）測定値に基づいて代表値パスロス（PL’）を設定し、前記代表値パスロス（PL’）に基づいて前記移動局装置の総送信電力（PTX）を決定し、前記総送信電力（PTX）を前記複数の送信アンテナに分配することにより前記各送信アンテナの送信電力（PTXn）を決定することを特徴とする移動局装置。
【請求項２１】
前記代表値パスロス（PL’）を、前記複数の送信アンテナのパスロス（PL）測定値のうち最も小さいパスロス（PL）測定値とすることを特徴とする請求項２０に記載の移動局装置。
【請求項２２】
前記代表値パスロス（PL’）を、前記複数の送信アンテナのうち予め定められた一つの送信アンテナのパスロス（PL）測定値とすることを特徴とする請求項２０に記載の移動局装置。
【請求項２３】
前記総送信電力（PTX）が以下の式（１）で求められることを特徴とする請求項２０から請求項２２のいずれかに記載の移動局装置。
PTX=min{Pmax,10log10(MPUSCH(i))+P0_PUSCH(j)+α(j)・PL’+ΔTF(i)+f(i)}(dBm)
（１）
ここで、Pmaxは最大送信電力であり、MPUSCHは送信帯域幅であり、P0_PUSCHは目標受信電力であり、αはフラクショナルTPCの重み係数であり、PL’は測定したパスロス（PL）測定値に基づいて決定された代表値パスロス（PL’）であり、ΔTFはMCSに依存するオフセットであり、f(i)はTPCコマンドによる補正値である。
【請求項２４】
前記総送信電力（PTX）を前記複数の送信アンテナにそれぞれ均等に分配することを特徴とする請求項２３に記載の移動局装置。
【請求項２５】
複数の送信アンテナと、前記複数の送信アンテナのパスロス（PL）を測定するパスロス測定部と、測定したパスロス（PL）測定値に基づいて各送信アンテナの送信電力（PTXn）を決定する送信電力設定部とを具備する移動局装置であって、
前記送信電力設定部は、前記パスロス測定部で測定された各送信アンテナのパスロス（PL）測定値に基づいて、前記各送信アンテナの送信電力（PTXn）を以下の式（６）でそれぞれ決定することを特徴とする移動局装置。
PTXn=min{Pmax_n,10log10(MPUSCH(i))+P0_PUSCH(j)+α(j)・PLn+ΔTF(i)+f(i)−10log10N}(dBm)      （６）
ここで、Pmax_nは送信アンテナ毎の最大送信電力である。
【請求項２６】
前記複数の送信アンテナの送信電力の合計が所定値（Pmax）を超えた場合に、前記移動局装置の総送信電力（PTX）をPmaxとし、各送信アンテナの送信電力（PTXn’）を以下の式（７）を用いて決定することを特徴とする請求項２５に記載の移動局装置。
PTXn’=Pmax−10log10N(dBm)      （７）
ここで、Nは送信アンテナ数である。
【請求項２７】
前記各送信アンテナの送信電力（PTXn）の送信電力の合計が所定値（Pmax）を超えた場合に、前記総送信電力（PTX）をPmaxとし、前記Pmaxを前記複数の送信アンテナの中でパスロス（PL）が小さいアンテナに対して優先的に分配することを特徴とする請求項２５に記載の移動局装置。
【請求項２８】
前記各送信アンテナの送信電力（PTXn）の送信電力の合計が所定値（Pmax）を超えた場合に、前記総送信電力（PTX）をPmaxとし、前記複数の送信アンテナの中でパスロス（PL）が最も小さいアンテナに対してのみ電力を設定することを特徴とする請求項２５に記載の移動局装置。
【発明の詳細な説明】
【技術分野】
【０００１】
本発明は、複数のアンテナを有する移動局装置の上りリンクの送信電力を制御する送信電力制御方法及び複数のアンテナの送信電力を制御する移動局装置に関する。
【背景技術】
【０００２】
W-CDMAの上りリンクでは、同一セル内のユーザ装置（UE:User  equipment)は、ユーザ固有のスクランブル符号が乗算されており、非直交受信となるため、マルチユーザ干渉（すなわち、遠近問題）の影響を低減するための高速送信電力制御（TPC:Transmission  Power  Control)が必須となっている。
【０００３】
一方、3GPP  Release  8で規定されるLTE(Long  Term  Evolution)のシステムでは（以下、「Rel-8  LTE」と略称する）、上りリンクに低いピーク対平均電力比(PAPR:  Peak-to  Average  Power  Ratio)を実現し、カバレッジの増大に有効であるSC-FDMA  (Single-Carrier  Frequency  Division  Multiple  Access)無線アクセスが採用されている。よって、基地局装置によるスケジューリングにより、基本的には、ある周波数および時間を有する無線リソースをひとつのUEに割り当てるため、同一セル内のユーザ間は周波数および時間領域で直交を実現している。このため、同一セル内のマルチユーザ干渉を抑圧する観点からは、高速なTPCは必ずしも必須ではない。しかしながら、Rel-8  LTEでは１セル周波数繰り返しをベースとするため、周辺セルからの干渉が大きく、特にセル端に存在するUEからの干渉レベルは高い。このため、このような周辺セル干渉を補償し一定の受信品質を維持するため、LTEにおいてもTPCを適用する必要がある。
【０００４】
LTEシステムの上りリンクで送信する信号（PUSCH（Physical  Uplink  Shared  Channel）、PUCCH（Physical  Uplink  Control  Channel）、SRS（Sounding  Reference  Signal））などの送信電力は、無線基地局装置が比較的長周期で通知するパラメータ（Po、α等）及び移動端末装置が測定する伝搬損失（パスロス（PL））による開ループ制御と、無線基地局装置と移動端末装置との間の通信状況（例えば、無線基地局装置での受信SINR（Signal  to  Interference  plus  Noise  Power  Ratio）に基づいて無線基地局装置が比較的短周期で通知するTPCコマンドによる閉ループ制御との組み合わせにより制御される（例えば、非特許文献１）。
【先行技術文献】
【非特許文献】
【０００５】
【非特許文献１】3GPP,  TS  36.213,  V8.2.0,  “Evolved  Universal  Terrestrial  Radio  Access  (E-UTRA);  Physical  layer  procedures”
【発明の概要】
【発明が解決しようとする課題】
【０００６】
ところで、3GPPにおいては、更なる広帯域化及び高速化を目的として、LTEの後継のシステムも検討されている（例えば、LTE-Advanced（LTE-A））。LTE-Advancedでは移動局装置の複数の送信アンテナによる上りリンクの伝送が想定されるが、Rel-8  LTEでは、シングル送信アンテナでの送信電力制御しか規定されておらず、複数の送信アンテナを具備する移動局装置において送信アンテナ毎の送信電力の制御について規定されていない。そのため、移動局装置の複数の送信アンテナによる上りリンクの伝送において所要の品質を満たす送信電力の制御が望まれる。
【０００７】
本発明は、かかる点に鑑みてなされたものであり、複数の送信アンテナを有する移動局装置の送信電力を適切に制御できる送信電力制御方法および移動局装置を提供することを目的とする。
【課題を解決するための手段】
【０００８】
本発明の送信電力制御方法の一は、複数の送信アンテナを有する移動局装置の上りリンクの送信電力を制御する送信電力制御方法であって、複数の送信アンテナのうち少なくとも一つの送信アンテナのパスロス（PL）を測定するステップと、測定したパスロス（PL）測定値に基づいて代表値パスロス（PL’）を設定するステップと、代表値パスロス（PL’）に基づいて移動局装置の総送信電力（PTX）を決定するステップと、総送信電力（PTX）を複数の送信アンテナに分配することにより各送信アンテナの送信電力（PTXn）を決定するステップとを有する。
【０００９】
この構成によれば、複数の送信アンテナを有する移動局装置の上りリンクにおける送信電力制御に関し、各送信アンテナのパスロス（PL）のばらつきを考慮して各送信アンテナの送信電力を決定するため、送信電力を適切に制御することができる。
【００１０】
本発明の送信電力制御方法の一は、複数の送信アンテナを有する移動局装置の上りリンクの送信電力を制御する送信電力制御方法であって、複数の送信アンテナのパスロス（PL）をそれぞれ測定するステップと、各送信アンテナで測定したパスロス（PL）測定値に基づいて、各送信アンテナの送信電力（PTXn）をそれぞれ決定するステップとを有する。
【００１１】
本発明の移動局装置の一は、複数の送信アンテナと、複数の送信アンテナのパスロス（PL）を測定するパスロス測定部と、測定したパスロス（PL）測定値に基づいて各送信アンテナの送信電力（PTXn）を決定する送信電力設定部とを有し、送信電力設定部が、パスロス測定部で測定されたパスロス（PL）測定値に基づいて代表値パスロス（PL’）を設定し、代表値パスロス（PL’）に基づいて移動局装置の総送信電力（PTX）を決定し、総送信電力（PTX）を複数の送信アンテナに分配することにより各送信アンテナの送信電力（PTXn）を決定することを特徴とする。
【発明の効果】
【００１２】
本発明によれば、複数の送信アンテナを有する移動局装置の送信電力を適切に制御することができる。
【図面の簡単な説明】
【００１３】
【図１】本発明に係る送信電力制御方法の実施の形態を示す図であり、移動局装置と基地局装置の送信電力制御の概要の説明図である。
【図２】本発明に係る送信電力制御方法の実施の形態を示す図であり、移動局装置の機能ブロック図である。
【図３】本発明に係る送信電力制御方法の実施の形態を示す図であり、移動局装置のベースバンド信号処理部の機能ブロック図である。
【図４】本発明に係る送信電力制御方法の実施の形態を示す図であり、基地局装置の機能ブロック図である。
【図５】本発明に係る送信電力制御方法の実施の形態を示す図であり、基地局装置のベースバンド信号処理部の機能ブロック図である。
【図６】本発明に係る送信電力制御において適用するコードブックの一例を示す図である。
【発明を実施するための形態】
【００１４】
以下、本発明の実施の形態について添付図面を参照して詳細に説明する。
【００１５】
まず、シングル送信アンテナにおける送信電力制御（TPC:Transmission  Power  Control）について説明する。
【００１６】
上りリンクのPUSCHの送信電力は、基地局装置が比較的長周期で通知するパラメータ（Po、α等）及び移動局装置が測定する伝搬ロス値による開ループTPCと、シャドウイングによる受信レベルの中期的変動及びUEの送信電力の設定誤差を補償するために比較的短周期で通知されるTPCコマンドによる閉ループTPCとの組み合わせにより以下の制御式（１１）に基づいて制御される(3GPP,TS36.213)。
【００１７】
PPUSCH(i)＝min{PCMAX,10log10(MPUSCH(i))+P0_PUSCH(j)+α(j)・PL+ΔTF(i)+f(i)}
式（１１）
【００１８】
ここで、PCMAXは最大送信電力であり、MPUSCHは送信帯域幅であり、P0_PUSCHは目標受信電力（PL０の場合）であり、αはフラクショナルTPCの重み係数であり、PLはパスロス測定値であり、ΔTFはMCSに依存するオフセットであり、f(i)はTPCコマンドによる補正値である。
【００１９】
上記式（１１）を用いてシングル送信アンテナの送信電力制御（TPC）を規定し、無線基地局装置と移動局装置との間のパスロス（PL）に応じて目標受信電力を設定する（開ループ制御のパラメータαで実現）ことにより、セル間干渉を低減することができる。
【００２０】
本発明者は、複数の送信アンテナを有する移動局装置の上りリンクにおける送信電力の制御に関して検討した結果、各送信アンテナのパスロス（PL）のばらつきを考慮して各送信アンテナの送信電力を制御する点に着目し本願発明に至った。本願発明によれば、複数の送信アンテナを有する移動局装置において、人体等の影響により各送信アンテナ間の利得差（パスロス（PL）差）がばらつく場合であっても、複数の送信アンテナ間のパスロス（PL）差を考慮した送信電力の制御を行うことができる。
【００２１】
図１に、本発明の送信電力制御が適用される場合の概略図を示す。図１では、複数の送信アンテナ（A1,A2,…,AN）を有する移動局装置が無線局装置と通信を行う場合を示している。複数の送信アンテナを有する移動局装置においては、人体等の影響により各送信アンテナのパスロス測定値（PL1,PL2,…,PLN）に差が生じる。以下に、各送信アンテナのパスロス（PL）のばらつきを考慮して各送信アンテナの送信電力を制御する送信電力制御方法について説明する。
【００２２】
本発明の第１の側面における送信電力制御方法では、複数の送信アンテナのうち少なくとも一つの送信アンテナのパスロス（PL）を測定するステップと、測定したパスロス（PL）測定値に基づいて代表値パスロス（PL’）を設定するステップと、代表値パスロス（PL’）に基づいて移動局装置の総送信電力（PTX）を決定するステップと、総送信電力（PTX）を各送信アンテナに分配することにより各送信アンテナの送信電力を決定するステップと、を行うことにより各送信アンテナの送信電力を制御する。
【００２３】
つまり、本発明の第１の側面では、複数の送信アンテナ（A1,A2,…,AN）で測定したパスロス（PL）測定値を、それぞれPL1,PL2,…,PLNとした場合に、PL1,PL2,…,PLNから代表値パスロス（PL’）を設定し、当該PL’に基づいて各送信アンテナの送信電力を制御する。以下に、具体的な手順について説明する。
【００２４】
[パスロス（PL）測定ステップ]
まず、移動局装置に設けられた複数の送信アンテナのパスロス（PL）の測定を行う。パスロス（PL）の測定は、移動局装置に設けられたパスロス測定部において行うことができる。パスロス測定部は、RSRP(Reference  Signal  Received  Power)を測定し、事前に通知される下り参照信号（DL  RS）の送信電力（Tx  power）とRSRPから送信アンテナのパスロス（PL）を測定する。パスロス（PL）の測定は、複数の送信アンテナ全てに対して行ってもよいし、予め定められた送信アンテナに対して行ってもよい。以下に示す代表値パスロス（PL’）の設定方法に応じて適宜選択することができる。
【００２５】
[代表値パスロス（PL’）設定ステップ]
測定した送信アンテナのパスロス（PL）測定値に基づいて代表値パスロス（PL’）を設定する。代表値パスロス（PL’）の設定は様々な方法を用いることができ、使用状況等に応じて適宜選択することができる。以下に、代表値パスロス（PL’）の設定方法の具体例として３通りの方法について説明する。
【００２６】
（PL’設定方法１）
移動局装置に設けられた複数の送信アンテナ（A1,A2,…,AN）で測定したパスロス（PL）測定値をそれぞれ、PL1,PL2,…,PLNとした場合、PL1,PL2,…,PLNを平均化した値を代表値パスロス（PL’）とする（PL’=avg{PL1,PL2,…,PLN}）。
【００２７】
この方法によれば、代表値パスロス（PL’）として各送信アンテナのパスロス（PL）測定値の平均的な数値に設定することができる。
【００２８】
（PL’設定方法２）
移動局装置に設けられた複数の送信アンテナ（A1,A2,…,AN）で測定したパスロス（PL）測定値をそれぞれ、PL1,PL2,…,PLNとした場合、PL1,PL2,…,PLNのうち、最もロスが少ない（PL測定値が小さい）値を代表値パスロス（PL’）とする（PL’=min{PL1,PL2,…,PLN}）。
【００２９】
この方法によれば、人体等の影響による特定の送信アンテナのパスロス（PL）の増大等を送信電力の決定から排除することが可能となる。
【００３０】
（PL’設定方法３）
移動局装置に設けられた複数の送信アンテナ（A1,A2,…,AN）のうち、予め定められた一つの送信アンテナ（Ab）で測定したパスロス（PL）測定値を代表値パスロス（PL’）とする（PL’=PLb）。
【００３１】
この方法によれば、複数の送信アンテナのうち予め定めた送信アンテナ（Ab）のパスロス（PL）を測定すればよいため、パスロス（PL）測定の簡略化を図ることができる。
【００３２】
[総送信電力（PTX）決定ステップ]
上記PL’設定ステップで設定された代表値パスロス（PL’）を用いて移動局装置の総送信電力（PTX）を決定する。具体的には、上述したいずれかのPL’設定方法で設定した代表値パスロス（PL’）に基づいて、移動局装置の総送信電力（PTX）を決定する。総送信電力（PTX）は、以下の式（１）を用いて求めることができる。
【００３３】
PTX=min{Pmax,10log10(MPUSCH(i))+P0_PUSCH(j)+α(j)・PL’+ΔTF(i)+f(i)}(dBm)
（１）
【００３４】
ここで、Pmaxは最大送信電力であり、MPUSCHは送信帯域幅であり、P0_PUSCHは目標受信電力であり、αはフラクショナルTPCの重み係数であり、PL’は測定したパスロス（PL）測定値に基づいて設定された代表値パスロス（PL’）であり、ΔTFはMCSに依存するオフセットであり、f(i)はTPCコマンドによる補正値である。
【００３５】
Pmax（最大送信電力）は、移動局装置の各送信アンテナの最大値と、全ての送信アンテナの合計での最大値を考慮して決定される。f(i)（TPCコマンドによる補正値）は、送信アンテナ毎に制御方法、又は複数の送信アンテナで共通して制御方法を選択することができる。MPUSCH（送信帯域幅）、P0_PUSCH（目標受信電力）、α（Fractional  TPCの重み係数）、ΔTF（MCSに依存するオフセット）は、Rel-8  LTEの場合と同様の数値で設定することができる。また、ΔTF（MCSに依存するオフセット）は０としてもよい。
【００３６】
[各送信アンテナの送信電力（PTXn）決定ステップ]
総送信電力（PTX）決定ステップで決定された総送信電力（PTX）を各送信アンテナに分配することにより、各送信アンテナの送信電力（PTXn）を決定する。各送信アンテナへの総送信電力（PTX）の分配方法は様々な手法を用いることができ、使用状況等に応じて適宜選択することができる。以下に、各送信アンテナの送信電力（PTXn）の決定方法として２通りの方法について説明する。
【００３７】
（PTXn決定方法１）
上記式（１）を用いて決定した総送信電力（PTX）を、各送信アンテナに等しく分配する（式（２）参照）。
【００３８】
PTXn=PTX−10log10N(dBm)      （２）
式（２）において、Nは送信アンテナ数である。
【００３９】
PTXn決定方法１とPL’設定方法１を組み合わせた場合には、PLのばらつきを平均化するという観点から送信電力を制御することができる。また、PTXn決定方法１とPL’設定方法２を組み合わせた場合には、最もロスが少ない（PLが小さい）値を使用するため、人体等の影響による特定の送信アンテナのパスロス（PL）の増大等を送信電力の決定から排除するという観点から送信電力を制御することができる。また、PTXn決定方法１とPL’設定方法３を組み合わせた場合には、任意の送信アンテナのパスロス（PL）を用いるため、パスロス（PL）測定の簡略化を図るという観点から送信電力を制御することができる。
【００４０】
（PTXn決定方法２）
上記式（１）を用いて決定した総送信電力（PTX）を、各送信アンテナに利得差Δｎに応じて分配する（式（３）参照）。
【００４１】
PTXn=PTX−Δｎ(dBm)      （３）
【００４２】
利得差Δｎの制御法としては、移動局装置の送信アンテナ毎に予め設定された値を用いる方法、基地局装置が通知する値（Higher  layer  signaling、又は、PDCCHにおけるTPCコマンド）を用いる方法等を適用することができる。
【００４３】
また、各送信アンテナに利得差Δｎに応じて総送信電力（PTX）を分配する場合には、分配後の各送信アンテナの送信電力の合計が所定の数値（Pmax）を超えないようにすることが好ましい。このためには、利得差Δｎの合計（線形演算）を１以上にする必要がある。例えば、Δｎ=10log10(Y/Xn)として、（X1+X2+,…,+XN）≦Yの条件を満たすように設計を行う。
【００４４】
また、分配後の各送信アンテナの送信電力の合計がPmaxを超える場合には、移動局装置の総送信電力（PTX）をPmaxと設定し、各送信アンテナの送信電力（PTXn’）を以下のとおり決定することができる。
【００４５】
・PTXn’決定方法１
PTXn’決定方法１では、分配後の各送信アンテナの送信電力の合計がPmaxを超える場合に、移動局装置の総送信電力（Pmax）を各送信アンテナ等しく再分配する（式（４）参照）。
【００４６】
PTXn’=Pmax−10log10N(dBm)      （４）
式（４）において、Nは送信アンテナ数である。
【００４７】
この方法を適用することにより、各アンテナに対して上記式（３）で設定される電力から一律に電力を減少して総送信電力（PTX）をPmax以内に再設定する方法と比較して、特性の良い（パスロス（PL）が小さい）アンテナに対してもある程度の送信電力を設定し、当該アンテナを用いた通信を補償することができる。特に、パスロス（PL）が大きいアンテナに相対的に大きい電力を分配しても送信不良が生じる状況では、上記のように送信電力の再設定においてパスロス（PL）の小さいアンテナに対してある程度の送信電力を設定することが有効となる。
【００４８】
・PTXn’決定方法２
PTXn’決定方法２では、分配後の各送信アンテナの送信電力の合計がPmaxを超える場合に、パスロス（PL）の小さいアンテナに対して優先的に送信電力を分配する。具体的には、複数のアンテナの中でパスロス（PL）の小さいアンテナから順に送信電力を割り振る。例えば、移動局装置が第１のアンテナ及び第２のアンテナの２つを具備する場合には、パスロス（PL）の小さいアンテナ（例えば、第１のアンテナ）に対して当該第１のアンテナの最大送信電力（Pmax_１）に達するまで電力を割り振り、残った送信電力を残りの第２のアンテナに割り振る。
【００４９】
この方法を適用することにより、上記PTXn’決定方法１と比較して、特性の良い（パスロス（PL）が小さい）アンテナの電力を優先的に補償して、当該アンテナを用いて通信を行う構成とすることができる。このように、特性の悪い（パスロス（PL）が大きい）アンテナに割り振る送信電力を特性の良い（パスロス（PL）が小さい）アンテナに割り振ることにより、移動局装置の通信特性を向上することが可能となる。
【００５０】
・PTXn’決定方法３
PTXn’決定方法３では、分配後の各送信アンテナの送信電力の合計がPmaxを超える場合に、パスロス（PL）の最も小さいアンテナのみ用いて送信を行う。具体的には、パスロス（PL）の最も小さいアンテナに対してのみ電力を設定し、その他のアンテナに対しては送信電力の設定を行わない（送信電力を０とする）。
【００５１】
この方法を適用することにより、上記PTXn’決定方法１、２と比較して、特性の悪い（パスロス（PL）が大きい）アンテナに対して送信電力を割り振る工程を省略することができるため、各送信アンテナの送信電力（PTXn）決定ステップの簡略化を図ることが可能となる。また、送信電力の低減を図ることが可能となる。
【００５２】
・その他のPTXn’決定方法
PTXn’決定方法として、分配後の各送信アンテナの送信電力の合計がPmaxを超えた場合に、各送信アンテナの送信電力（PTXn’）を下記の式（５）を用いて決定してもよい。この方法では、分配後の各送信アンテナの送信電力の合計がPmaxを超えた場合であっても、複数の送信アンテナ間のレベル差を補正するという観点から送信電力の再設定を行うことができる。
【００５３】
PTXn’=PTXn−10log10(Pover/N)(dBm)      （５）
式（５）において、Nは送信アンテナ数であり、Pover=sum(PTX1,PTX2,…,PTXN)−Pmax（線形演算）である。
【００５４】
PTXn決定方法２と上記PL’設定方法１を組み合わせた場合には、PLのばらつきを平均化し複数の送信アンテナ間のレベル差を補正するという観点から送信電力を制御することができる。また、PTXn決定方法２とPL’設定方法２を組み合わせた場合には、最もロスが少ない（PLが小さい）値を使用するため、人体等の影響による特定の送信アンテナのパスロス（PL）の増大等を送信電力の決定から排除すると共に複数の送信アンテナ間のレベル差を補正するという観点から送信電力を制御することができる。また、PTXn決定方法２とPL’設定方法３を組み合わせた場合には、任意の送信アンテナのパスロス（PL）測定値を用いるため、PL測定の簡略化を図ると共に複数の送信アンテナ間のレベル差を補正するという観点から送信電力を制御することができる。
【００５５】
また、PTXn決定方法２において、各送信アンテナの送信電力の合計がPmaxを超えることが想定される場合に、基地局装置から移動局装置に対して、アンテナ選択のＰＭＩ（Precoding  Matrix  Indicator）を通知する構成としてもよい。例えば、送信アンテナ数が２である場合には、図６に示すコードブックを用いることができる。
【００５６】
図６（Ａ）は、３ＧＰＰで規定されている２送信アンテナのコードブックを示している（3GPP,TR  36.814）。コードブックインデックス４、５がアンテナ選択ＰＭＩに相当する。移動局装置が２送信アンテナのうちパスロスを考慮してアンテナ選択ＰＭＩ（インデックス４又は５）を選択することにより、PLの最も小さいアンテナに対してのみ電力を設定し、その他のアンテナに対しては電力の設定を行わない構成（上記PTXn’決定方法３）とすることができる。
【００５７】
なお、図６（Ａ）に示したコードブックにおいては、アンテナ選択ＰＭＩ（インデックス４、５）において、１／√２により送信電力が半分に制限されているため、選択するアンテナの送信電力を制限しないアンテナ選択ＰＭＩを設けたコードブックを用いることが好ましい（図６（Ｂ）参照）。この場合、移動局装置が２送信アンテナのうちパスロスを考慮して図６（Ｂ）のアンテナ選択ＰＭＩ（インデックス６又は７）を選択することにより、PLの最も小さいアンテナに対してのみ電力を制限せずに設定し、その他のアンテナに対しては電力の設定を行わない構成とすることができる。
【００５８】
次に、本発明の他の側面に関する送信電力制御方法について説明する。
【００５９】
本発明の第２の側面における送信電力制御方法では、複数の送信アンテナのパスロス（PL）をそれぞれ測定するステップと、各送信アンテナで測定したパスロス（PL）測定値に基づいて各送信アンテナの送信電力（PTXn）をそれぞれ決定するステップと、を行うことにより各送信アンテナの送信電力を制御する。
【００６０】
つまり、第２の側面では、複数の送信アンテナ（A1,A2,…,AN）で測定したパスロス（PL）測定値を、それぞれPL1,PL2,…,PLNとした場合に、送信アンテナ毎に測定したPL1,PL2,…,PLNをそれぞれ考慮して、各送信アンテナの送信電力を制御する。以下に、具体的な手順について説明する。
【００６１】
[パスロス（PL）測定ステップ]
まず、移動局装置に設けられた複数の送信アンテナのパスロス（PL）の測定を行う。パスロス（PL）の測定は、移動局装置に設けられたパスロス測定部において行うことができる。パスロス測定部は、RSRP(Reference  Signal  Received  Power)を測定し、事前に通知される下り参照信号（DL  RS）の送信電力（Tx  power）とRSRPから各送信アンテナのパスロス（PL）を測定する。
【００６２】
[各送信アンテナの送信電力（PTXn）決定ステップ]
PL値測定ステップで測定した各送信アンテナのPL（=PLn）測定値に基づいて、各送信アンテナの送信電力（PTXn）を決定する。PTXnの決定は様々な方法を用いることができ、使用状況等に応じて適宜選択することができる。以下に、各送信アンテナの送信電力（PTXn）の決定方法として３通りの方法について説明する。
【００６３】
（PTXn決定方法１）
各送信アンテナのPL（=PLn）測定値に基づいて、下記の式（６）を用いて各送信アンテナの送信電力（PTXn）を決定する。ここで、最大送信電力は送信アンテナ毎に規定する。
【００６４】
PTXn=min{Pmax_n,10log10(MPUSCH(i))+P0_PUSCH(j)+α(j)・PLn+ΔTF(i)+f(i)−10log10N}(dBm)      （６）
【００６５】
式（６）において、Pmax_nは送信アンテナ毎の最大送信電力である。
【００６６】
この方法によれば、開ループTPC基準が各送信アンテナのパスロス（PL）であり、受信レベル差をある程度補正できる。また、各送信アンテナを独立した移動局装置のように扱うという観点から送信電力を制御することができる。
【００６７】
（PTXn決定方法２）
PTXn決定方法２は上記PTXn決定方法１において、移動局装置の最大送信電力を全ての送信アンテナの合計でも規定した方法である。
【００６８】
各送信アンテナの送信電力（PTXn）は、上記式（６）を用いて決定する。なお、Pmax_n=Pmaxでもよい。また、各送信アンテナの送信電力の合計がPmaxを超えた場合には、移動局装置の総送信電力（PTX）をPmaxと設定し、各送信アンテナの送信電力（PTXn’）を以下のとおり決定することができる。
【００６９】
・PTXn’決定方法１
PTXn’決定方法１では、分配後の各送信アンテナの送信電力の合計がPmaxを超えた場合に、移動局装置の総送信電力（Pmax）を各送信アンテナ等しく分配する（式（７）参照）。
【００７０】
PTXn’=Pmax−10log10N(dBm)      （７）
式（７）において、Nは送信アンテナ数である。
【００７１】
この方法を適用することにより、各アンテナに対して上記式（６）で設定される電力から一律に電力を減少して総送信電力（PTX）をPmax以内に再設定する方法と比較して、特性の良い（パスロス（PL）が小さい）アンテナに対してもある程度の送信電力を設定し、当該アンテナを用いた通信を補償することができる。特に、パスロス（PL）が大きいアンテナに相対的に大きい電力を分配しても送信不良が生じる状況では、上記のように送信電力の再設定においてパスロス（PL）の小さいアンテナに対してある程度の送信電力を設定することが有効となる。
【００７２】
・PTXn’決定方法２
PTXn’決定方法２では、分配後の各送信アンテナの送信電力の合計がPmaxを超える場合に、パスロス（PL）の小さいアンテナに対して優先的に送信電力を分配する。具体的には、複数のアンテナの中でパスロス（PL）の小さいアンテナから順に送信電力を割り振る。例えば、移動局装置が第１のアンテナ及び第２のアンテナの２つを具備する場合には、パスロス（PL）の小さいアンテナ（例えば、第１のアンテナ）に対して当該第１のアンテナの最大送信電力（Pmax_１）に達するまで電力を割り振り、残った送信電力を残りの第２のアンテナに割り振る。
【００７３】
この方法を適用することにより、上記PTXn’決定方法１と比較して、特性の良い（パスロス（PL）が小さい）アンテナの電力を優先的に補償して、当該アンテナを用いて通信を行う構成とすることができる。このように、特性の悪い（パスロス（PL）が大きい）アンテナに割り振る送信電力を特性の良い（パスロス（PL）が小さい）アンテナに割り振ることにより、移動局装置の通信特性を向上することが可能となる。
【００７４】
・PTXn’決定方法３
PTXn’決定方法３では、分配後の各送信アンテナの送信電力の合計がPmaxを超える場合に、パスロス（PL）の最も小さいアンテナのみ用いて送信を行う。具体的には、パスロス（PL）の最も小さいアンテナに対してのみ電力を設定し、その他のアンテナに対しては送信電力の設定を行わない（送信電力を０とする）。
【００７５】
この方法を適用することにより、上記PTXn’決定方法１、２と比較して、特性の悪い（パスロス（PL）が大きい）アンテナに対して送信電力を割り振る工程を省略することができるため、各送信アンテナの送信電力（PTXn）決定ステップの簡略化を図ることが可能となる。また、送信電力の低減を図ることが可能となる。
【００７６】
・その他のPTXn’決定方法
PTXn’決定方法として、分配後の各送信アンテナの送信電力の合計がPmaxを超えた場合に、各送信アンテナの送信電力（PTXn’）を下記の式（８）を用いて決定してもよい。この方法では、分配後の各送信アンテナの送信電力の合計がPmaxを超えた場合であっても、複数の送信アンテナ間のレベル差を補正するという観点から送信電力の再設定を行うことができる。
【００７７】
PTXn’=PTXn−10log10(Pover/N)(dBm)      （８）
式（８）において、Nは送信アンテナ数であり、Pover=sum(PTX1,PTX2,…,PTXN)−Pmax（線形演算）である。
【００７８】
また、本発明の第２の側面における送信電力制御方法のPTXn決定方法２においても、各送信アンテナの送信電力の合計がPmaxを超えることが想定される場合に、基地局装置から移動局装置に対して、アンテナ選択のＰＭＩ（Precoding  Matrix  Indicator）を通知する構成（上記図６）とすることができる。
【００７９】
（PTXn決定方法３）
測定した送信アンテナのパスロス（PL）測定値に基づいて代表値パスロス（PL’）を設定し、各送信アンテナの送信電力（PTXn）を代表値パスロス（PL’）とのパスロス差（PLn−PL’）に基づいて補正して、各送信アンテナの送信電力（PTXn）を決定する。
【００８０】
代表値パスロス（PL’）の決定は、上記第１の側面における送信電力制御方法で示した３通りのPL’設定方法のいずれかを用いて決定することができる。そして、決定した代表値パスロス（PL’）に基づいて、以下の式（９）及び（１０）により各送信アンテナの送信電力（PTXn）を決定する。
【００８１】
PTXb=min{Pmax_n,10log10(MPUSCH(i))+P0_PUSCH(j)+α(j)・PLb+ΔTF(i)+f(i)−10log10N}(dBm)      （９）
PTXn=PTXb+β(PLn−PL’)      （１０）
【００８２】
ここで、βは重み係数であり、β＝１である場合には、各送信アンテナの平均受信電力が等しくなるように制御される。
【００８３】
また、全ての送信アンテナの送信電力の合計がPmaxを超えた場合には、上記PTXn決定方法２と同様の方法（式（７）又は式（８））により移動局装置の総送信電力をPmaxに抑えればよい。
【００８４】
この方法によれば、複数の送信アンテナ間のレベル差を高い精度で補正するという観点から送信電力を制御することができる。
【００８５】
以下に、本発明の第１の側面又は第２の側面で示した送信電力制御法を適用した場合の移動局装置及び基地局装置等の構成について説明する。
【００８６】
図２を参照して、移動局装置の機能構成について説明する。図２は、本発明の実施の形態に係る移動局装置の機能ブロック図である。
【００８７】
図２に示すように、移動局装置１００ｎは、複数の送受信アンテナ１０２１〜１０２Ｎと、複数の送受信アンテナ１０２１〜１０２Ｎに対応したアンプ部１０４と、送受信部１０６と、ベースバンド信号処理部１０８と、呼処理部１１０と、アプリケーション部１１２とを備えて構成されている。
【００８８】
上りリンクのデータについては、アプリケーション部１１２からベースバンド信号処理部１０８に入力される。ベースバンド信号処理部１０８では、再送制御（H-ARQ（Hybrid  ARQ））の処理、スケジューリング、伝送フォーマット選択、チャネル符号化、送信電力設定などがなされて、アンテナ毎に送受信部１０６に転送される。送受信部１０６では、ベースバンド信号処理部１０８から出力されたベースバンド信号をアンテナ毎に無線周波数信号へ周波数変換する。周波数変換された信号は、その後、アンプ部１０４で増幅されて送受信アンテナ１０２１〜１０２Ｎ毎に送信される。
【００８９】
下りリンクのデータについては、送受信アンテナ１０２１〜１０２Ｎで受信した無線周波数信号がアンプ部１０４において、ＡＧＣ（Auto  Gain  Control）の下で受信電力が一定電力に補正されるように増幅される。増幅された無線周波数信号は、送受信部１０６においてベースバンド信号へ周波数変換される。このベースバンド信号は、ベースバンド信号処理部１０８で所定の処理（誤り訂正、複合など）がなされた後、呼処理部１１０及びアプリケーション部１１２に転送される。
【００９０】
呼処理部１１０は、基地局装置との通信の管理等を行い、アプリケーション部１１２は、物理レイヤやＭＡＣレイヤより上位のレイヤに関する処理等を行う。
【００９１】
次に、図３を参照して、移動局装置のベースバンド処理部の機能構成について説明する。図３は、移動局装置のベースバンド信号処理部の機能ブロック図である。
【００９２】
ベースバンド信号処理部１０８は、レイヤ１処理部１０８１と、MAC処理部１０８２と、RLC処理部１０８３と、PL測定部１０８４と、送信電力設定部１０８５とを有している。
【００９３】
レイヤ１処理部１０８１は、主に物理レイヤに関する処理をする。レイヤ１処理部１０８１では、例えば、下りリンクで受信した信号に対して、チャネル復号化、離散フーリエ変換（ＤＦＴ）周波数デマッピング、逆フーリエ変換（ＩＦＦＴ）、データ復調等の処理が行われる。また、上りリンクで送信する信号に対して、チャネル符号化、データ変調、周波数マッピング、逆フーリエ変換（IFFT）等の処理を行う。
【００９４】
MAC処理部１０８２は、下りリンクで受信した信号に対するMACレイヤでの再送制御（HARQ）、下りリンクに対するスケジューリング情報の解析（PDSCHの伝送フォーマットの特定、PDSCHのリソースブロックの特定）等を行う。また、MAC処理部１０８２は、上りリンクで送信する信号に対するMAC再送制御、上りスケジューリング情報の解析（PUSCHの伝送フォーマットの特定、PUSCHのリソースブロックの特定等の処理）等を行う。
【００９５】
RLC処理部１０８３は、上りリンクで受信したパケット、およびアプリケーション部１１２から受け取る下りリンクで送信するパケットに対して、パケットの分割、パケットの結合、RLCレイヤでの再送制御等をする。
【００９６】
PL測定部１０８４は、RSRP(Reference  Signal  Received  Power)を測定し、事前に通知される下り参照信号（DL  RS）の送信電力（Tx  power）とRSRPから各アンテナのパスロス（PL）を測定する。
【００９７】
送信電力設定部１０８５は、PL測定部１０８４で測定したパスロス（PL）測定値に基づいて、各アンテナの送信電力制御に使用する代表値パスロス（PL’）又は各アンテナの送信電力制御に使用するパスロス（PL）測定値を設定し、各アンテナの送信電力を設定する。送信電力制御に使用する代表値パスロス（PL’）の設定及び各アンテナの送信電力の設定は、上記本発明の第１の側面又は第２の側面で示した方法を用いることができる。また、分配後の各送信アンテナの送信電力の合計がPmaxを超える場合には、移動局装置の総送信電力（PTX）をPmaxと設定し、各送信アンテナの送信電力（PTXn’）をPTXn’決定方法１〜３等を用いて設定する。PTXn’決定方法３を適用する場合には、移動局装置が上記図６に示したコードブックからアンテナ選択ＰＭＩを選択する構成とすることができる。
【００９８】
送信電力設定部１０８５において、本発明の第１の側面における送信電力制御方法を適用する場合には、送信電力設定部１０８５が、測定したパスロス（PL）測定値に基づいて代表値パスロス（PL’）を設定するステップと、代表値パスロス（PL’）に基づいて移動局装置の総送信電力（PTX）を決定するステップと、総送信電力（PTX）を各送信アンテナに分配することにより各送信アンテナの送信電力を決定するステップとを行う。例えば、PL測定部１０８４で測定された各送信アンテナのパスロス測定値のうち、最もPL測定値が小さい値を代表値パスロス（PL’）と設定して上記式（１）を用いて総送信電力（PTX）を決定した後、各送信アンテナに総送信電力（PTX）を等しく分配する。この場合、上記第１の側面におけるPL’設定方法２とPTXn決定方法１を適用しているが、これに限られず他のPL’設定方法、PTXn決定方法を適用してもよい。
【００９９】
送信電力設定部１０８５において、本発明の第２の側面における送信電力制御方法を適用する場合には、送信電力設定部１０８５が、各送信アンテナで測定したパスロス（PL）測定値に基づいてそれぞれ各送信アンテナの送信電力（PTXn）を決定するステップを行う。例えば、PL測定部１０８４で測定された各送信アンテナのPL（=PLn）測定値に基づいて、上記式（６）を用いて各送信アンテナの送信電力（PTXn）を決定する。この場合、上記第２の側面におけるPTXn決定方法１を適用しているがこれに限られず他のPTXn決定方法を適用してもよい。
【０１００】
次に、図４を参照して、基地局装置の機能構成について説明する。図４は、本発明の実施の形態に係る基地局装置の機能ブロック図である。
【０１０１】
図４に示すように、基地局装置２００は、複数の送受信アンテナ２０２（１つのみ図示）と、アンプ部２０４と、送受信部２０６と、ベースバンド信号処理部２０８と、呼処理部２１０と、伝送路インターフェース２１２とを備えて構成されている。
【０１０２】
上りリンクのデータについては、送受信アンテナ２０２で受信された無線周波数信号がアンプ部２０４において、AGCの下で受信電力が一定電力に補正されるように増幅される。増幅された無線周波数信号は、送受信部２０６においてベースバンド信号へ周波数変換される。このベースバンド信号は、ベースバンド信号処理部２０８で所定の処理（誤り訂正、複合など）がなされた後、伝送路インターフェース２１２を介して図示しないアクセスゲートウェイ装置に転送される。アクセスゲートウェイ装置は、コアネットワークに接続されており、各移動局を管理している。
【０１０３】
下りリンクのデータについては、上位装置から伝送路インターフェース２１２を介してベースバンド信号処理部２０８に入力される。ベースバンド信号処理部２０８では、再送制御（H-ARQ（Hybrid  ARQ））の処理、スケジューリング、伝送フォーマット選択、チャネル符号化等がなされて送受信部２０６に転送される。送受信部２０６では、ベースバンド信号処理部２０８から出力されたベースバンド信号を無線周波数信号へ周波数変換する。周波数変換された信号は、その後、アンプ部２０４で増幅されて送受信アンテナ２０２から送信される。
【０１０４】
呼処理部２１０は、上位装置の無線制御局との間で呼処理制御信号を送受信し、基地局装置２００の状態管理やリソース割り当てをする。なお、レイヤ１処理部２０８１とＭＡＣ処理部２０８２における処理は、呼処理部２１０において設定されている、基地局装置２００と移動局装置１００ｎとの間の通信状態に基づいてなされる。
【０１０５】
次に、図５を参照して、ベースバンド処理部の機能構成について説明する。図５は、基地局装置のベースバンド信号処理部の機能ブロック図である。
【０１０６】
図５に示すように、ベースバンド信号処理部２０８は、レイヤ１処理部２０８１と、MAC（Medium  Access  Control）処理部２０８２と、RLC処理部２０８３と、送信電力制御部２０８４とを有している。
【０１０７】
レイヤ１処理部２０８１は、主に物理レイヤに関する処理を行う。レイヤ１処理部２０８１では、例えば、上りリンクで受信した信号に対して、チャネル復号化、離散フーリエ変換（ＤＦＴ）、周波数デマッピング、逆フーリエ変換（ＩＦＦＴ）、データ復調等の処理が行われる。また、下りリンクで送信する信号に対して、チャネル符号化、データ変調、周波数マッピング、逆フーリエ変換（IFFT）等の処理を行う。
【０１０８】
MAC処理部２０８２は、上りリンクで受信した信号に対するMACレイヤでの再送制御（HARQ）、上り／下りリンクに対するスケジューリング、PUSCH/PDSCHの伝送フォーマットの選択、PUSCH/PDSCHのリソースブロックの選択等の処理を行う。
【０１０９】
RLC処理部２０８３は、上りリンクで受信したパケット／下りリンクで送信するパケットに対して、パケットの分割、パケットの結合、RLCレイヤでの再送制御等を行う。
【０１１０】
送信電力制御部２０８４は、移動局装置の送信電力情報を管理し、TPCコマンドの設定、通知を行う。また、移動局装置の各送信アンテナの利得差を考慮し、Higher  layer  signaling又はPDCCHにおけるTPCコマンドにて移動局装置に通知を行う。なお、TPCコマンドによる補正値（f(i)）は、移動局装置において、送信アンテナ毎、又は複数の送信アンテナで共通して制御される。また、分配後の各送信アンテナの送信電力の合計がPmaxを超えることが想定される場合には、移動局装置に対して、アンテナ選択のＰＭＩを通知してもよい。
【０１１１】
以上のように、本実施の形態に係る送信電力制御方法によれば、移動局装置が複数の送信アンテナを具備する場合であっても、各送信アンテナのパスロス（PL）を考慮して送信電力を制御することにより、上りリンクの送信電力を適切に制御することができる。
【０１１２】
また、今回開示された実施の形態は、全ての点で例示であってこの実施の形態に制限されるものではない。本発明の範囲は、上記した実施の形態のみの説明ではなくて特許請求の範囲によって示され、特許請求の範囲と均等の意味および範囲内での全ての変更が含まれることが意図される。
【産業上の利用可能性】
【０１１３】
以上説明したように、本発明は、複数の送信アンテナを有する移動局装置の送信電力を適切に制御できるという効果を有し、特に上りリンクの送信電力を制御する送信電力制御方法、基地局装置および移動局装置に有用である。
【符号の説明】
【０１１４】
１００ｎ  移動局装置
１０２１  送受信アンテナ
１０２N  送受信アンテナ
１０４  アンプ部
１０６  送受信部
１０８  ベースバンド信号処理部
１１０  呼処理部
１１２  アプリケーション部
１０８１  レイヤ１処理部
１０８２  ＭＡＣ処理部
１０８３  ＲＬＣ処理部
１０８４  パスロス（PL）測定部
１０８５  送信電力設定部
２００  基地局装置
２０２  送受信アンテナ
２０４  アンプ部
２０６  送受信部
２０８  ベースバンド信号処理部
２１０  呼処理部
２１２  伝送路インターフェース
２０８１  レイヤ１処理部
２０８２  ＭＡＣ処理部
２０８３  ＲＬＣ処理部
２０８４  送信電力制御部
【図１】
2011234334.tif 000003
【図２】
2011234334.tif 000004
【図３】
2011234334.tif 000005
【図４】
2011234334.tif 000006
【図５】
2011234334.tif 000007
【図６】
2011234334.tif 000008